(57)【特許請求の範囲】
【請求項１】
地域を特定する情報の入力を受け付けて、
土地の植生の変化の特徴を示す変化特徴情報と、前記土地の改変案を示す改変案情報と、を対応付けた第一の情報を参照し、
前記地域に含まれる土地の植生の変化の特徴を示す変化特徴情報と対応する前記改変案情報を出力し、
改変のタイプの選択を受け付けて、選択されたタイプに応じて、推奨する植物を選択する、処理をコンピュータに実行させる改変案提示プログラム。
【請求項２】
動植物を特定する情報の入力を受け付けて、
土地の植生の変化の特徴を示す変化特徴情報と、動植物毎の生息状況を示す情報と、を対応付けた第二の情報を参照し、
入力された情報により特定された動植物の減少が最も少なくなる変化特徴情報を特定し、
前記第一の情報を参照して、特定した前記変化特徴情報と対応付けられた改変案情報を出力する、処理を前記コンピュータに実行させる請求項１記載の改変案提示プログラム。
【請求項３】
動植物の生息分布を示す生息分布情報を参照し、前記特定された動植物が生息する地域を抽出し、
抽出された地域のうち、前記地域に含まれる土地の変化特徴情報が、前記特定された動植物の減少が最も少なくなる変化特徴情報と一致する地域を特定し、
前記特定された動植物の減少が最も少なくなる変化特徴情報と対応付けられた改変案情報を出力する、処理を前記コンピュータに実行させる請求項２記載の改変案提示プログラム。
【請求項４】
前記第一の情報は、
土地の植生の変化の特徴を示す変化特徴情報と、変化の特徴の分類を示す値とを対応付けた分類テーブルと、
前記分類を示す値と、土地の改変案を示す改変案情報とが対応付けられた改変案テーブルをと、を含み、
前記第二の情報は、
前記分類を示す値と、動植物毎の生息状況を示す情報とを対応付けたテーブル群を含む請求項２又は３記載の改変案提示プログラム。
【請求項５】
前記動植物毎の生息状況を示す情報は、各動植物の生息数の減少の度合いを示す情報である請求項４記載の改変案提示プログラム。
【請求項６】
前記改変案情報は、改変を行う際に推奨する植物の情報を含み、
前記推奨する植物は、前記地域に生息する植物又は前記地域に飛来する可能性のある植物の何れかである請求項１乃至５の何れか一項に記載の改変案提示プログラム。
【請求項７】
地域を特定する情報の入力を受け付ける入力受付部と、
土地の植生の変化の特徴を示す変化特徴情報と、前記土地の改変案を示す改変案情報と、を対応付けた第一の情報を参照し、
前記地域に含まれる土地の植生の変化の特徴を示す変化特徴情報と対応する前記改変案情報を出力し、改変のタイプの選択を受け付けて、選択されたタイプに応じて、推奨する植物を選択する改変案出力部と、を有する改変案提示装置。
【請求項８】
コンピュータが実行する改変案提示方法であって、該コンピュータが、
地域を特定する情報の入力を受け付けて、
土地の植生の変化の特徴を示す変化特徴情報と、前記土地の改変案を示す改変案情報と、を対応付けた第一の情報を参照し、
前記地域に含まれる土地の植生の変化の特徴を示す変化特徴情報と対応する前記改変案情報を出力し、
改変のタイプの選択を受け付けて、選択されたタイプに応じて、推奨する植物を選択する、改変案提示方法。
【発明の詳細な説明】
【技術分野】
【０００１】
本発明は、土地の改変案を提示する改変案提示プログラム、改変案提示装置及び改変案提示方法に関する。
【背景技術】
【０００２】
近年では、都市部等における緑地の減少が進んでおり、民間用地の緑地化等が求められている。また、近年では、都市部の空き家や、農村部の耕作放棄地等が問題となっており、空き家や耕作放棄地となり得る土地を緑化したり、非農業経験者の農業への実践地とする等、土地の利用用途を変更し、有効に活用することが期待されている。
【０００３】
そこで、従来では、耕作放棄地を緑化したり、空き地を生物の住息環境（ビオトープ）にする方法等が提案されている。
【先行技術文献】
【特許文献】
【０００４】
【特許文献１】特開２０１４−１４９２１３号公報
【特許文献２】特開２０１２−１７９０１６号公報
【発明の概要】
【発明が解決しようとする課題】
【０００５】
従来では、土地の利用用途を変更する際に事前影響評価が行われるが、この事前影響評価では、評価対象の土地を含む地域に生息する動植物に関する情報は考慮されることが少なく、評価対象となる種が絶滅危惧種等に限定されたり、現状評価の定点観測の短期間での調査結果のみが評価されたりする場合が多い。このため、従来では、土地の利用用途を変更する際に、その土地や、その土地の周辺地域における動植物の生息状況について、俯瞰的に自然環境の状態を空間的な連続性を考考慮することが困難であった。
【０００６】
１つの側面では、動植物の生息状況に応じた土地の利用用途を提示することが可能な改変案提示装置、改変案提示プログラム及び改変案提示方法を提供することを目的としている。
【課題を解決するための手段】
【０００７】
一様態によれば、地域を特定する情報の入力を受け付けて、土地の植生の変化の特徴を示す変化特徴情報と、前記土地の改変案を示す改変案情報と、を対応付けた第一の情報を参照し、前記地域に含まれる土地の植生の変化の特徴を示す変化特徴情報と対応する前記改変案情報を出力し、改変のタイプの選択を受け付けて、選択されたタイプに応じて、推奨する植物を選択する、処理をコンピュータに実行させる。
【０００８】
上記各処理は、上記各処理を実現する機能部、上記各処理を手順としてコンピュータにより実行させる方法、プログラムを記憶したコンピュータ読み取り可能な記憶媒体とすることもできる。
【発明の効果】
【０００９】
動植物の生息状況に応じた土地の利用用途を提示できる。
【図面の簡単な説明】
【００１０】
【図１】土地の改変案の提示の概略について説明する図である。
【図２】第一の実施形態の改変案提示システムのシステム構成の一例を示す図である。
【図３】第一の実施形態の改変案提示装置のハードウェア構成の一例を示す図である。
【図４】第一の実施形態の自然環境地域データベースの一例を示す図である。
【図５】第一の実施形態の生息分布データベースの一例を示す図である。
【図６】第一の実施形態のコリドー予測データベースを説明する図である。
【図７】第一の実施形態の改変案提示装置の機能構成と土地改変データベースについて説明する図である。
【図８】グループ分類テーブルの一例を示す図である。
【図９】改変案テーブルの一例を示す図である。
【図１０】改変タイプテーブルの一例を示す図である。
【図１１】第一の実施形態の改変案提示装置の動作を説明するフローチャートである。
【図１２】第一の実施形態の入力画面の一例を示す図である。
【図１３】第一の実施形態の対象地域の変化の特徴を表示した画面の一例を示す図である。
【図１４】第一の実施形態の改変案が表示された画面の一例を示す図である。
【図１５】改変タイプの選択画面の一例を示す図である。
【図１６】第一の実施形態の土地の改変に適した植物の情報が表示された画面の一例を示す図である。
【図１７】第二の実施形態の改変案提示装置の機能構成と土地改変データベースについて説明する図である。
【図１８】種別変化テーブル群の一例を示す図である。
【図１９】種数変化テーブル群の一例を示す図である。
【図２０】第二の実施形態の改変案提示装置の動作を説明するフローチャートである。
【図２１】第二の実施形態の入力画面の一例を示す図である。
【図２２】地域の選択画面の一例を示す図である。
【図２３】第二の実施形態の対象地域の変化の特徴と改変案を表示した画面の一例を示す図である。
【図２４】第二の実施形態の地域に生息する植物の一覧と、土地の改変に適した植物の情報が表示された画面の一例を示す図である。
【図２５】第三の実施形態の改変案提示システムのシステム構成の一例を示す図である。
【発明を実施するための形態】
【００１１】
（第一の実施形態）
以下に、図面を参照して実施の形態について説明する。図１は、土地の改変案の提示の概略について説明する図である。
【００１２】
図１（Ａ）は、緑地帯と住宅街を示す図であり、図１（Ｂ）は、土地の改変の例を説明する図である。
【００１３】
図１（Ａ）において、地域１は、植生自然度の高い緑地帯であり、地域２はビル群や住宅等が点在する住宅街（都市部）である。地域３は、比較的植生自然度の高い大きな公園であり、地域２は、地域１と地域３とをつないでいる。
【００１４】
以下では、地域２に存在する空き家等の利用用途を変更する場合について説明する。
【００１５】
現在の地域２は、緑地が少なく、地域１と地域３を分断しているが、地域２において緑地を増やすことができれば、地域１や地域３に生息する動植物が地域２の緑地にも表れる可能性が高くなり、住民に対し、自然との触れ合いによる癒し等を提供できるようになる。
【００１６】
そこで、以下に、地域１と地域３とをつなぐ地域２の住宅街４において、緑地を増やすために土地を改変する場合について説明する。
【００１７】
図１（Ｂ）に示すように、住宅街４には、住宅４１、４２、４３が存在し、住宅４１は、未使用の駐車場Ｐを有している空き家である。図１（Ｂ）では、空き家の住宅４１と未使用の土地である駐車場Ｐが緑地化の候補に選ばれた場合の土地の改変の例を示している。
【００１８】
図１（Ｂ）において、住宅４１が立てられた土地と駐車場Ｐとを更地にし、苗木や種等の植物を植えると、住宅街４における緑地を増やすことができる。このとき、更地に植えられる植物を、地域１と地域３に生息する動植物や、地域１や地域３から飛来する可能性の高い植物とすれば、地域１と地域３に生息する動植物が地域２を通って地域１と地域３を行き来するようになる。このため、地域２の緑化に加え、地域１と地域３の環境を保全することができる。つまり、地域１と地域３の間にある、地域２や地域４に緑地の連なりを作るということは、動物が移動する通り道を助ける緑の回廊（コリドー）の機能を果たすため緑化だけではなく動物の生息に配慮した土地の改編を行う、ということになる。本実施形態では、このような土地の改変案を提示する。
【００１９】
本実施形態では、以上のことに着目し、土地の改変を行う際に、改変の対象となる土地の周辺の地域の動植物の生息状況に応じた土地の改変案を提示することで、改変の対象とされた土地やその土地の周辺地域の生態系を保全しつつ、土地を有効に活用する。
【００２０】
以下に説明する本実施形態の改変案提示システム１００では、土地の改変の対象となる地域の選択を受け付けて、選択された地域に生息する動植物の生息状況に応じた土地の改変案を提示する。
【００２１】
本実施形態の改変案提示システム１００は、このような改変案を提示することで、例えば不動産業者等が土地の評価を行う際に、評価対象の土地をどのように改変すれば、自然環境を維持しつつ土地の利用用途を変更することができるかを把握させることができる。
【００２２】
尚、以下の説明における「地域」は、区画された土地の区域を示している。本実施形態における「地域」は、例えば市町村を示しても良いし、それよりも狭い範囲を示しても良い。また、以下の説明における「土地」は、耕地や宅地など、さまざまに利用する地面を示す。
【００２３】
図２は、第一の実施形態の土地改変案提示システムのシステム構成の一例を示す図である。
【００２４】
本実施形態の改変案提示システム１００は、端末装置２００と、改変案提示装置３００と、を有する。改変案提示システム１００において、端末装置２００と改変案提示装置３００とは、ネットワークを介して接続される。
【００２５】
本実施形態の改変案提示装置３００は、自然環境地域データベース３１０、生息分布データベース３２０、コリドー予測データベース３３０、植物図鑑データベース３３５、土地改変データベース３４０、改変案提示処理部３５０を有する。
【００２６】
本実施形態の改変案提示装置３００において、改変案提示処理部３５０は、端末装置２００から改変の対象となる土地を含む地域が入力されると、各データベースに格納されたデータを参照して該当する地域における土地の改変案を端末装置２００に表示させる。
【００２７】
次に、図３を参照して、改変案提示装置３００のハードウェア構成について説明する。図３は、第一の実施形態の改変案提示装置のハードウェア構成の一例を示す図である。
【００２８】
本実施形態の改変案提示装置３００について説明する。図３は、改変案提示装置のハードウェア構成の一例を示す図である。本実施形態の改変案提示装置３００は、それぞれバスＢで相互に接続されている入力装置３１、出力装置３２、ドライブ装置３３、補助記憶装置３４、メモリ装置３５、演算処理装置３６及びインターフェース装置３７を有する。
【００２９】
入力装置３１は、各種の情報を入力するためのものであり、例えばキーボードやマウス等である。出力装置３２は、各種の情報を出力するためのものであり、例えばディスプレイ等である。
【００３０】
インターフェース装置３７は、モデム，ＬＡＮカード等を含み、ネットワークに接続する為に用いられる。
【００３１】
改変案提示プログラムは、改変案提示装置３００を制御する各種プログラムの少なくとも一部である。改変案提示プログラムは例えば記録媒体３８の配布やネットワークからのダウンロードなどによって提供される。改変案提示プログラムを記録した記録媒体３８は、ＣＤ−ＲＯＭ、フレキシブルディスク、光磁気ディスク等の様に情報を光学的、電気的あるいは磁気的に記録する記録媒体、ＲＯＭ、フラッシュメモリ等の様に情報を電気的に記録する半導体メモリ等、様々なタイプの記録媒体を用いることができる。
【００３２】
また、改変案提示プログラムを記録した記録媒体３８がドライブ装置３３にセットされると、改変案提示プログラムは記録媒体３８からドライブ装置３３を介して補助記憶装置３４にインストールされる。ネットワークからダウンロードされた改変案提示プログラムは、インターフェース装置３７を介して補助記憶装置３４にインストールされる。
【００３３】
補助記憶装置３４は、インストールされた改変案提示プログラムを格納すると共に、必要なファイル、データ等を格納する。メモリ装置３５は、コンピュータの起動時に補助記憶装置３４から改変案提示プログラムを読み出して格納する。そして、演算処理装置３６はメモリ装置３５に格納された改変案提示プログラムに従って、後述するような各種処理を実現している。
【００３４】
尚、本実施形態の改変案提示装置３００は、例えばタブレット型のコンピュータであっても良い。その場合、改変案提示装置３００は、入力装置３１と出力装置３２の代わりに、タッチパネル等の表示操作装置を有する。
【００３５】
本実施形態の端末装置２００のハードウェア構成は、改変案提示装置３００と同様であるから説明を省略する。
【００３６】
次に、本実施形態の改変案提示装置３００の有する各データベースについて説明する。本実施形態の改変案提示装置３００の各データベースは、例えば補助記憶装置３４等の所定の記憶領域内に設けられても良い。
【００３７】
図４は、第一の実施形態の自然環境地域データベースの一例を示す図である。本実施形態の自然環境地域データベース３１０は、植生図データ３１０−１と、植生図データ３１０−１における各メッシュと対応付けられた自然環境データ３１０−２とを格納する。
【００３８】
図４（Ａ）は、植生図データ３１０−１により示される植生図の例を示しており、図４（Ｂ）は、自然環境データ３１０−２の一例を示している。
【００３９】
図４（Ａ）に示す植生図データ３１０−１は、各メッシュに対して地図メッシュＩＤが付与されている。
【００４０】
図４（Ｂ）に示す本実施形態の自然環境データ３１０−２は、例えば２０××年に行われた調査により得られたデータとした。尚、本実施形態の自然環境地域データベース３１０には、過去の調査により得られた自然環境データが蓄積されているものとした。
【００４１】
本実施形態では、ある地域を覆っている植物群落の総称を植生といい、それらの面的な配分状況を地図上に表示したものが植生図であり、植生図を表示させるためのデータが植生図データ３１０−１である。
【００４２】
本実施形態の自然環境データ３１０−２は、植生図データ３１０−１における各メッシュ毎に、メッシュと対応する地域の植生自然度を含む情報を格納している。尚、本実施形態のメッシュとは、１Ｋｍ四方の正方形である。したがって、例えば１つの町や市等は、複数のメッシュが含まれる。
【００４３】
本実施形態の自然環境データ３１０−２は、情報の項目として、地図メッシュＩＤ、植生自然度、主な樹木、土地利用情報、地域産業情報、主な農業生産品目を有し、項目「地図メッシュＩＤ」と、その他の項目とが対応付けられている。
【００４４】
項目「地図メッシュＩＤ」の値は、植生図データ３１０−１における各メッシュを特定するための識別子を示す。
【００４５】
項目「植生自然度」は、従属する項目として、植生自然度の値を示す項目「１」〜「１０」を有する。項目「植生自然度」の項目「１」〜「１０」の値は、各メッシュにおいて、対応する植生自然度の領域がしめる割合を示している。植生自然度の詳細は後述する。
【００４６】
項目「主な樹木」の値は、地図メッシュＩＤにより特定されるメッシュと対応する地域に生息している主な樹木を示す。項目「土地利用情報」の値は、地図メッシュＩＤにより特定されるメッシュと対応する地域の土地の利用の形態を示す。
【００４７】
項目「地域産業情報」は、地域産業を記す項目として、「ワインファーム」と「養蜂場」とを有する。項目「ワインファーム」の値は、地図メッシュＩＤにより特定されるメッシュと対応する地域におけるワインファームの有無を示す。項目「養蜂場」の値は、地図メッシュＩＤにより特定されるメッシュと対応する地域に養蜂場の有無を示す。本実施形態では、項目「ワインファーム」の値及び項目「養蜂場」の値が「１」であったとき、該当する地域に値「１」と対応する地域産業が有ることを示す。
【００４８】
項目「主な農業生産品目」の値は、地図メッシュＩＤにより特定されるメッシュと対応する地域において生産されている主な農業生産品を示す。尚、本実施形態では、項目「主な農業生産品目」の値は、空欄の場合は該当する農業産業品がないことを示す。
【００４９】
例えば、地図メッシュＩＤ「５３３９１２△△」の地域は、メッシュ全体の面積のうち、植生自然度１の領域の面積、植生自然度２の領域の面積、植生自然度３の領域の面積、植生自然度４の領域の面積、植生自然度５の領域の面積がそれぞれ５％であり、植生自然度７の領域の面積が７０％であることがわかる。また、地図メッシュＩＤ「５３３９１２△△」の地域は、主に広葉樹が生息する自然林であり、ワインファームは無く、養蜂場があり、農業産業品は生産されていないことがわかる。
【００５０】
ここで、植生自然度について説明する。植生自然度は、環境省では、植物社会学的な観点から群落の自然性がどの程度残されているかを示す一つの指標として定義されており、自然を評価する尺度で、自然を人為による影響や復元力の強弱の度合いなどに応じて、一定のランク（分類）に分けたものである。
【００５１】
本実施形態では、植生図より群落の分類を植生自然度を用いて紐付けしたものを活用しているが、地図メッシュＩＤに一つの自然度を付す環境省の植生自然度の地図情報への決定方法とは、異なる。地図メッシュＩＤそれぞれの一区画において、区画内に複数の植生自然度を付された群落が存在しており、それぞれの植生自然度が同メッシュ内にどのくらい占有しているかを抽出した占有割合を本実施形態では用いている。
【００５２】
植生自然度は、市街地や工業用地として植生がほとんど残存しないものを１、極めて自然性の高いものを１０として1０階層に分類される。
【００５３】
本実施形態の自然環境地域データベース３１０では、そのときの植生図データ３１０−１に基づき設定されている植生自然度を植生自然度として用いた。
【００５４】
植生自然度（以下、植生自然度）は、下記の通りに分けられている。尚、植生自然度９と植生自然度１０は、自然性の高さにおいては同じランクとする。
【００５５】
１．市街地・造成地（植生をほとんど残存しない地区、市街地、造成地）
２．農耕地（水田や畑地、緑被率６０％以上の緑の多い住宅地）、
３．農耕地（果樹園、桑園、茶畑、苗圃等の樹園地）、
４．背の低い二次草原（シバ群落など背丈の低い草原）、
５．背の高い二次草原（ササ群落、ススキ群落等の背丈の武井草原）、
６．植林地（常緑針葉樹、落葉針葉樹、常緑広葉樹などの植林地）、
７．二次林（クリ−ミズナラ群、クヌギ−コナラ群落等、一般的には二次林よばれる代償植生地区）
８．自然に近い二次林（ブナ、ミズナラ再生林、シイ・カシ萌芽林等、代償植生であても、特に自然植生に近い地区）、
９．自然林（極相林またはそれに近い群落構成を示す天然林で、エゾマツ−トドマツ群集、ブナ群集、自然植生のうち多層の植物社会を形成する地区）、
１０．自然草原・湿地（高山ハイデ、風衝草原、自然草原等、自然植生のうち単層の植物社会を形成する地区。
【００５６】
次に、図５を参照し、本実施形態の生息分布データベース３２０について説明する。図５は、第一の実施形態の生息分布データベースの一例を示す図である。尚、図５に示す生息分布データベース３２０は、Ａ町における動植物の生息分布を示している。
【００５７】
本実施形態の生息分布データベース３２０は、情報の項目として、分類、種、地域、地図メッシュＩＤ、調査年、絶滅危惧種ランクを有する。本実施形態では、各項目の値を含む情報を、生息分布情報と呼ぶ。
【００５８】
項目「分類」の値は、動植物の分類を示している。項目「種」の値は、動植物の種を示す。項目「分類」と項目「種」とは、対応付けられている。
【００５９】
項目「地域」と、項目「地図メッシュＩＤ」と、項目「調査年」は、それぞれが対応付けられている。また、項目「地域」、「地図メッシュＩＤ」、「調査年」は、項目「分類」、「種」と対応付けられている。
【００６０】
項目「地域」の値は、地域の名称を示す。図５の例では、項目「地域」の値として、Ａ町南西、Ａ町南東、Ａ町北西、Ａ町北東となっている。項目「地図メッシュＩＤ」の値は、対応する地域の地図メッシュＩＤを示している。項目「調査年」の値は、対応する地域において、動植物の生息状況の調査が実施された年数を示す。
【００６１】
項目「絶滅危惧種ランク」は、項目「分類」、「種」と対応付けられており、対応する動植物の希少度合いを示している。
【００６２】
図５の例では、Ａ町南西の地図メッシュＩＤは５３３９１２２２であり、２００３年の調査では、１９７９年の調査では生息が確認されなかったカモシカの生息が確認されたことがわかる。
【００６３】
次に、図６を参照してコリドー予測データベース３３０について説明する。図６は、第一の実施形態のコリドー予測データベースを説明する図である。
【００６４】
コリドー（緑の回廊）とは、ヒトの生活圏によって分断された野生生物の生息地間をつなぎ、主に動物種の移動を可能とすることで生物多様性を確保するための植物群落や水域の連なる線や帯状の自然植生がある通路を示す。
【００６５】
図６（Ａ）、（Ｂ）では、ある地域に野生動物が生息する生息地６１、６２、６３が存在している。生息地６１〜６３において、生息地６１と生息地６２は通路６４でつながれ、生息地６２と生息地６３とは通路６５でつながれている。通路６４、６５は、それぞれがつなぐ生息地を動物が移動するための通路を示している。つまり、道路６６ができる前までは、通路６４、６４がコリドーとして動物の移動に活用されていたのである。道路ができた後は、生息地６１と通路６５は、道路６６により分断されている状態である。
【００６６】
例えば図６（Ａ）に示すように、生息地６１と通路６５が道路６６により分断された場合、この地域に生息する野生動物は、図６（Ｂ）に示すように、道路６６のうち、生息地６１を横切る部分６８を通って生息地６１内を移動すると予測される。また、野生動物は、道路６６のうち、生息地を通過していない部分６７と、通路６５を横切る部分６９を通って移動しないと予測される。
【００６７】
したがって、図６の例では、道路６６における部分６８がコリドーとなり得る。
【００６８】
本実施形態は、上述したようにして、地域毎に、植生データを元に、各野生動物が食用とする樹種や、通り道として機能する植生群落の連なり、コリドーを分断する可能性がある水路や道路情報など、各種の野生動物を含むコリドーに関して必要な情報を予め取得して、野生動物の通路となり得るコリドーの位置や、コリドーを通って移動する野生動物の移動可能地域を予測し、この情報をコリドー予測データベース３３０に格納している。
【００６９】
尚、本実施形態のコリドー予測データベース３３０は、地域毎に、植生データを元に、コリドーとなりえる地域を予測して、コリドーを用いた移動を含む動植物毎の生息地と生息可能地域、生息地内におけるコリドーの有無等が格納されていても良い。
【００７０】
次に、本実施形態の植物図鑑データベース３３５について説明する。本実施形態の植物図鑑データベース３３５は、例えば植物の種、名称、形態的特徴、名称の由来、植栽に関する情報、繁殖生態、寿命等といった情報が、植物毎に格納されている一般的な図鑑を電子データにしたものである。本実施形態では、植物図鑑データベース３３５が改変案提示装置３００に設けられているものとしたが、これに限定されない。植物図鑑データベース３３５は、改変案提示装置３００と通信が可能な外部の記憶装置等に格納されていても良い。また、本実施形態の改変案提示装置３００が有するその他のデータベースも、外部の記憶装置等に格納されていても良い。
【００７１】
次に、図７を参照し、本実施形態の改変案提示装置３００の機能構成と、土地改変データベース３４０について説明する。
【００７２】
図７は、第一の実施形態の改変案提示装置の機能構成と土地改変データベースについて説明する図である。
【００７３】
始めに、本実施形態の改変案提示装置３００の土地改変データベース３４０について説明する。本実施形態の土地改変データベース３４０は、グループ分類テーブル３４１、改変案テーブル３４２、改変タイプテーブル３４３を有する。
【００７４】
グループ分類テーブル３４１は、植生図データ３１０−１における各メッシュを、植生自然度の変化に応じたグループに分類するためのテーブルである。改変案テーブル３４２は、グループ毎に、土地の変化の特徴と改変案とを対応付けたテーブルである。改変タイプテーブル３４３は、後述する改変のタイプ毎に、改変に用いる動植物の選択の仕方を対応付けたテーブルである。土地改変データベース３４０の有する各テーブルの詳細は後述する。
【００７５】
次に、本実施形態の改変案提示処理部３５０について説明する。本実施形態の改変案提示処理部３５０は、改変案提示装置３００の演算処理装置３６がメモリ装置３５等に格納されている改変案提示プログラムを実行することで実現される。
【００７６】
本実施形態の改変案提示処理部３５０は、入力受付部３５１、メッシュ毎グループ特定部３５２、地域グループ分類部３５３、動植物抽出部３５４、変化特徴出力部３５５、改変案出力部３５６、表示制御部３５７を有する。
【００７７】
本実施形態の入力受付部３５１は、改変案提示装置３００に対する入力を受け付ける。改変案提示装置３００に対する入力とは、例えば後述する改変対象の地域を特定する情報や土地の改変タイプを示す情報の入力等を含む。地域を特定する情報とは、例えば市町村の名称等である。
【００７８】
メッシュ毎グループ特定部３５２は、自然環境地域データベース３１０と、グループ分類テーブル３４１とを参照し、入力された地域に含まれるメッシュ毎のグループを特定する。より具体的には、メッシュ毎グループ特定部３５２は、自然環境地域データベース３１０に格納された過去の自然環境データと、自然環境データ３１０−２とを参照し、メッシュ毎に、メッシュ内における各植生自然度の領域の割合の変化を求め、グループ分類テーブル３４１において該当するグループを特定する。
【００７９】
地域グループ分類部３５３は、選択された地域に含まれる各メッシュのグループに基づき、選択された地域をグループに分類する。具体的には、本実施形態の地域グループ分類部３５３は、選択された地域に含まれるメッシュにおいて、同一のグループと特定されたメッシュの数が最も多いグループを選択された地域のグループとする。
【００８０】
動植物抽出部３５４は、自然環境地域データベース３１０と、生息分布データベース３２０と、コリドー予測データベース３３０とを参照し、改変の対象として選択された地域に生息する動植物の名称を抽出する。
【００８１】
変化特徴出力部３５５は、改変案テーブル３４２を参照し、選択された地域に含まれる土地の植生の変化の特徴を示す情報を出力する。以下の説明では、植生の変化の特徴を示す情報を出力することを、単に「植生の変化の特徴を出力する」と表現する。
【００８２】
改変案出力部３５６は、選択された地域が分類されたグループに応じて、土地の改変案を示す情報を出力する。以下の説明では、改変案を示す情報を出力することを、単に「改変案を出力する」と表現する。
【００８３】
表示制御部３５７は、変化特徴出力部３５５と改変案出力部３５６が出力する各種の情報の表示を制御する。具体的には、表示制御部３５７は、変化特徴出力部３５５と改変案出力部３５６が出力する情報を端末装置２００に表示させるための画面データを生成し、端末装置２００に出力（送信）する。
【００８４】
次に、本実施形態の土地改変データベース３４０の有する各テーブルについて説明する。
【００８５】
図８は、グループ分類テーブルの一例を示す図である。本実施形態のグループ分類テーブル３４１は、情報の項目として、グループＩＤと、条件とを有し、これらの項目は対応付けられている。本実施形態では、項目「グループＩＤ」の値と、項目「条件」の値とを含む情報を、分類情報と呼ぶ。
【００８６】
項目「グループＩＤ」の値は、地図メッシュＩＤと対応する土地を、項目「条件」に応じてグループに分類した際の、グループの識別子である。項目「条件」の値は、対応するグループＩＤを付与するための条件である。本実施形態の項目「条件」の値は、植生の変化の特徴を示す情報（変化特徴情報）である。
【００８７】
つまり、本実施形態のグループ分類テーブル３４１は、土地をその土地の植生の変化の特徴毎に分類するためのテーブルであり、項目「グループＩＤ」の値は、植生の変化の特徴の分類を示している。
【００８８】
例えば、図８の例では、植生自然度７−９の領域の面積が１０％近く減少し、植生自然度４、５、６の領域の面積が１ポイント近く増加したメッシュは、グループＩＤ「０」が付与され、グループ０に分類される。
【００８９】
図９は、改変案テーブルの一例を示す図である。本実施形態の改変案テーブル３４２は、情報の項目として、変化分類、植生の変化の特徴、改変案、植物の種類を有し、項目「変化分類」と、その他の項目とが対応付けられている。
【００９０】
本実施形態では、項目「変化分類」の値と、項目「植生の変化の特徴」、「改変案」、「植物の種類」のそれぞれの値とを含む情報を改変案情報と呼ぶ。
【００９１】
項目「変化分類」の値は、土地を植生の変化の特徴毎にグループ化（分類）する際のグループを特定するグループＩＤを示す。項目「植生の変化の特徴」の値は、対応するグループＩＤにより特定される土地（メッシュ）の植生の変化の特徴を示す変化特徴情報である。項目「改変案」の値は、対応するグループＩＤにより特定される土地（メッシュ）の改変案を示す改変案情報である。項目「植物の種類」の値は、改変に用いられることが好ましい植物の種類を示す。グループＩＤの分類は、図９では、５種類のパターンを示しており、変化の特徴を５つのグループに示したものであるが、精緻化する場合、さらなる細分化の分類をして良い。例えば、植生自然度６の変化割合や、植生自然度９の変化割合など森林を人工林、自然林と分けて分類することもできる。
【００９２】
図９の例では、例えばグループＩＤ「３」の土地の植生の変化は、「草地（植生自然度４、５）が増加して、森林（植生自然度６，７，８，９）が減少している」という特徴があることがわかる。また、グループＩＤ「３」の土地において、現在の自然環境を維持するためには、土地の改変案として、「水辺（池など）や草地のあるビオトープを作る」という案が有効であることがわかる。また、この土地の改変に用いられることが好ましい植物の種類は、１年草や多年草であることがわかる。
【００９３】
図１０は、改変タイプテーブルの一例を示す図である。本実施形態の改変タイプテーブル３４３は、改変案提示システム１００の利用者に対し、土地を改変のタイプを選択させる際に用いられる。
【００９４】
本実施形態の改変タイプテーブル３４３は、情報の項目として、改変タイプと、抽出対象植物と、を有する。項目「改変タイプ」の値は、土地の改変を行う際の改変の主旨を示している。項目「抽出対象植物」の値は、植物の抽出の仕方を示す。
【００９５】
図１０では、例えば改変タイプが「環境保全タイプ」であった場合には、抽出する植物は、土地の改変の対象となる地域に生息している植物、又は、対象となる地域へ飛来する可能性がある植物のうち、絶滅危惧種ランクが高いものとなる。
【００９６】
また、例えば改変タイプが「癒しタイプ」であった場合には、その地域において、親しまれている植物が抽出対象となる。図１０の例では、地域において、親しまれている植物とは、例えば地域毎に決められている「地域の植物」とした。
【００９７】
また、例えば改変タイプが「体験タイプ」であった場合には、その地域の住民が実際に触れ合いを体験できる植物が抽出対象となる。図１０の例では、改変の対象となる地域に生息する植物のうち、収穫が可能な植物を抽出対象とした。
【００９８】
次に、図１１を参照して第一の実施形態の改変案提示装置３００の動作について説明する。図１１は、第一の実施形態の改変案提示装置の動作を説明するフローチャートである。
【００９９】
本実施形態の改変案提示処理部３５０は、入力受付部３５１により、改変対象の地域の選択を受け付けたか否かを判定する（ステップＳ１１０１）。より具体的には、改変案提示処理部３５０は、端末装置２００に表示された地域の選択画面において、地域の選択を受け付けたか否かを判定する。
【０１００】
ステップＳ１１０１において、地域の選択を受け付けない場合、入力受付部３５１は、地域の選択を受け付けるまで待機する。
【０１０１】
ステップＳ１１０１において、待機の選択を受け付けると、改変案提示処理部３５０は、メッシュ毎グループ特定部３５２により、植生図データ３１０−１と自然環境データ３１０−２を参照し、選択された地域に含まれる各メッシュのグループを特定する（ステップＳ１１０２）。
【０１０２】
以下に、メッシュ毎グループ特定部３５２の処理を説明する。本実施形態のメッシュ毎グループ特定部３５２は、植生図データ３１０−１において、選択された地域に含まれるメッシュの地図メッシュＩＤを抽出する。そして、メッシュ毎グループ特定部３５２は、自然環境データ３１０−２を参照し、抽出された地図メッシュＩＤ毎に、各植生自然度と対応する値（パーセンテージ）を取得する。
【０１０３】
続いてメッシュ毎グループ特定部３５２は、過去の自然環境データにおいて、抽出された地図メッシュＩＤ毎に、各植生自然度と対応する値（パーセンテージ）を取得する。そして、メッシュ毎グループ特定部３５２は、各植生自然度と対応する値の差分を求め、グループ分類テーブル３４１において、各植生自然度と対応する値の変化の仕方が合致するグループのグループＩＤを、地図メッシュＩＤと対応付ける。本実施形態では、この処理により、選択された地域に含まれるメッシュのグループが特定される。
【０１０４】
続いて、改変案提示処理部３５０は、地域グループ分類部３５３により、選択された地域のグループを決める（ステップＳ１１０３）。
【０１０５】
具体的には、地域グループ分類部３５３は、例えば、メッシュ毎グループ特定部３５２により、選択された地域に含まれるメッシュにおいて、最も多くの地図メッシュＩＤと対応付けられグループＩＤが示すグループを、選択された地域のグループとしても良い。
【０１０６】
続いて、改変案提示処理部３５０は、変化特徴出力部３５５により、改変案テーブル３４２を参照し、地域に対して付与されたグループと対応する植生の変化の特徴を取得し、出力する（ステップＳ１１０４）。具体的には、変化特徴出力部３５５は、改変案テーブル３４２から抽出した植生の変化の特徴を取得し、表示制御部３５７により、端末装置２００に植生の変化の特徴を表示させる画面の画面データを生成して端末装置２００に送信する。
【０１０７】
続いて改変案提示処理部３５０は、入力受付部３５１により、土地の改変案の表示指示を受け付けたか否かを判定する（ステップＳ１１０５）。ステップＳ１１０５において、表示指示を受け付けない場合、改変案提示処理部３５０は、入力を受け付けるまで待機する。
【０１０８】
尚、改変案提示処理部３５０は、例えばステップＳ１１０５において、所定時間内に表示指示を受け付けない場合には、処理を終了しても良い。
【０１０９】
ステップＳ１１０５において、表示指示を受け付けると、改変案提示処理部３５０
は、改変案出力部３５６により、改変案テーブル３４２を参照し、選択された地域のグループを示すグループＩＤと改変案を出力する（ステップＳ１１０６）。具体的には、改変案出力部３５６は、改変案テーブル３４２から該当する改変案を取得し、表示制御部３５７により、端末装置２００に改変案を表示させる画面の画面データを生成して端末装置２００に送信する。
【０１１０】
続いて、改変案提示処理部３５０は、入力受付部３５１により、改変タイプの選択を受け付けたか否かを判定する（ステップＳ１１０７）。具体的には、入力受付部３５１は、端末装置２００に表示された改変タイプの選択画面において、改変タイプの選択がなされたか否かを判定している。
【０１１１】
ステップＳ１１０７において、所定時間内に選択を受け付けない場合、改変案提示処理部３５０は、処理を終了する。
【０１１２】
ステップＳ１１０７において、改変タイプの選択を受け付けると、動植物抽出部３５４は、生息分布データベース３２０を参照し、選択された地域に生息する植物を抽出する（ステップＳ１１０８）。このとき、動植物抽出部３５４は、コリドー予測データベース３３０を参照し、周辺地域から選択された地域に飛来してくる植物も抽出する。
【０１１３】
続いて、改変案提示処理部３５０は、改変案出力部３５６により、ステップＳ１１０８で抽出された植物のうち、改変案テーブル３４２において選択された地域のグループと対応付けられた種類の植物を特定する。そして、改変案出力部３５６は、植物図鑑データベース３３５を参照し、特定した植物の情報を取得して出力し（ステップＳ１１０９）、処理を終了する。
【０１１４】
具体的には、改変案出力部３５６は、植物図鑑データベース３３５から特定した植物の情報を取得し、表示制御部３５７に出力する。表示制御部３５７は、特定した植物の情報を端末装置２００に表示させる画面データを生成し、端末装置２００に送信する。
【０１１５】
以下に、図１２乃至図１６を参照し、本実施形態の改変案提示処理部３５０の処理をさらに説明する。
【０１１６】
図１２は、第一の実施形態の入力画面の一例を示す図である。図１２に示す入力画面１２１は、端末装置２００に表示された地域の一覧に対する選択を受け付ける画面の例を示している。本実施形態の改変案提示処理部３５０は、端末装置２００から、土地の改変案の提示要求を受け付けると、端末装置２００に入力画面１２１を表示させても良い。入力画面１２１は、例えば図１３のステップＳ１１０１において、端末装置２００に表示されている画面である。
【０１１７】
土地の改変案の提示要求とは、例えば端末装置２００の利用者が本実施形態の改変案提示システム１００にログインした際に行われるものであっても良い。
【０１１８】
入力画面１２１には、改変案を提示させたい地域の入力を促すメッセージ１２２と、地域を選択させる選択欄１２３とが表示される。図１２の例では、□□県Ａ町が選択されている。
【０１１９】
改変案提示処理部３５０は、選択欄１２３において地域が選択されると、選択された地域について、ステップＳ１１０２以降の処理を行う。
【０１２０】
尚、図１２では、選択欄１２３は、プルダウン形式で地域を選択させる形式としたが、これに限定されない。入力画面１２１では、改変案を提示する対象となる地域の入力を受け付ける画面であれば良く、入力の形式は任意であって良い。入力画面１２１には、例えば日本地図等が表示され、地図上で選択された地域を改変の対象の地域としても良い。
【０１２１】
また、図１２では、市町村単位で改変の対象となる地域が選択される例を示したが、これに限定されない。改変案提示処理部３５０は、図１２において、□□県Ａ町が選択された後に、□□県Ａ町を端末装置２００に表示させ、□□県Ａ町の中から、改変の対象となる土地を選択させても良い。
【０１２２】
図１３は、第一の実施形態の対象地域の変化の特徴を表示した画面の一例を示す図である。
【０１２３】
図１３に示す画面１３１は、□□県Ａ町のグループが、グループＩＤ「４」のグループに分類された場合を示している。
【０１２４】
画面１３１は、表示欄１３２と、ボタン１３３とを含む。表示欄１３２には、□□県Ａ町がグループＩＤ「４」のグループに分類されたことと、グループＩＤ「４」のグループの植生の変化の特徴と、が表示されている。
【０１２５】
ボタン１３３は、画面１３１を、□□県Ａ町の改変案を表示させる画面に遷移させるボタンである。本実施形態の改変案提示処理部３５０は、ボタン１３３が操作されると、改変案の表示指示を受け付けたものとし、グループＩＤ「４」と対応する改変案を端末装置２００に表示させる。
【０１２６】
図１４は、第一の実施形態の改変案が表示された画面の一例を示す図である。図１４に示す画面１４１は、画面１３１においてボタン１３３が操作され、グループＩＤ「４」と対応する改変案が表示された例を示している。
【０１２７】
画面１４１は、表示欄１４２と、ボタン１４３と、ボタン１４４と、を有する。表示欄１４２には、改変案テーブル３４２において、グループＩＤ「４」と対応する改変案が表示されている。
【０１２８】
ボタン１４３は、画面１４１を、改変タイプの選択画面に遷移させるためのボタンである。本実施形態の改変案提示処理部３５０は、ボタン１４３が操作されると、改変タイプの選択要求を受け付けたものとし、画面１４１を改変タイプの選択画面に遷移させる。
【０１２９】
ボタン１４４は、改変案の提示を終了させるためのボタンである。本実施形態の改変案提示処理部３５０は、ボタン１４４が操作されると、改変案の提示の処理を終了する。
【０１３０】
尚、画面１４１では、グループＩＤ「４」と対応する改変案が表示された例を示しているが、画面１４１には、表示欄１４２と共に、土地に改変に用いられる植物として、推奨される植物の名称が表示されても良い。
【０１３１】
この場合、改変案提示処理部３５０は、改変の対象となる土地を含む地域に生息する植物のうち、最も多く生息している植物を推奨される植物としても良い。例えば画面１４１に示す改変案１では、対象の土地を含む地域に最も多く生息する街路樹の名称を、推奨する植物として表示させても良い。また、改変案２では、対象の土地を含む地域に最も多く生息する１年草の名称を、推奨する植物として表示させても良い。
【０１３２】
図１５は、改変タイプの選択画面の一例を示す図である。図１５に示す選択画面１５１は、図１４の画面１４１において、ボタン１４３が操作され、グループＩＤ「４」の改変タイプの選択欄が表示された例を示している。
【０１３３】
選択画面１５１には、改変タイプの選択欄１５２と、ボタン１５３と、が表示されている。選択欄１５２には、３つの改変タイプと、各改変タイプを選択するためのボックスとが対応付けられている。ボタン１５３は、選択画面１５１を、選択された改変タイプの改変案を表示させた画面に遷移させるためのボタンである。
【０１３４】
以下に、本実施形態の改変タイプについて説明する。本実施形態では、土地の改変案の具体例を提示する際に、改変の対象となる土地をどのような土地に改変させるのかを選択させる。
【０１３５】
具体的には、本実施形態では、改変タイプとして、環境保全タイプ、癒しタイプ、体験タイプの３つを設けた。
【０１３６】
環境保全タイプは、改変の対象となる土地を含む地域の自然環境と、その地域の周辺地域の自然環境を保全するような改変を意味している。
【０１３７】
この場合、本実施形態では、改変の対象となる土地を含む地域に生息している植物、又は、周辺地域に生息しており、対象の土地に飛来する可能性のある植物のうち、絶滅危惧種ランクが高い植物を用いた改変案を提示する。
【０１３８】
本実施形態では、このような改変案による土地の改変によれば、土地の改変を行いつつ、その土地と周辺地域において希少価値の高い植物を増やすことができ、自然環境を保全することができる。
【０１３９】
癒しタイプは、例えば改変の対象の土地を含む地域の住民や、対象の土地を含む地域を訪れた人に対し、その地域にいることで感じられる癒しや、親しみ等を与えるような改変を意味している。
【０１４０】
この場合、本実施形態では、例えば改変の対象となる土地を含む地域において定められた、地域の植物を用いた土地の改変を提案する。例えば改変の対象となる土地がＡ町にあった場合、本実施形態では、「Ａ町の花」として決められた花や、「Ａ町の木」として決められた木を用いた改変を提示する。地域毎に決められた花や木等の植物は、その地域に生息する植物の中から選ばれる。したがって、本実施形態では、このような植物を用いた土地の改変案を提示することで、その土地を含む地域の自然環境を保全することができる。
【０１４１】
このような改変案による土地の改変によれば、土地を改変しつつ、その土地に馴染みの深い植物を増やすことができ、例えばその土地に馴染みのある住民や来訪者に対して、癒しを提供することができる。
【０１４２】
体験タイプは、例えば改変対象の土地を含む地域の住民や、この地域を訪れた人に対し、この地域に生息する植物と触れ合う機会が増えるような改変を意味している。
【０１４３】
この場合、本実施形態では、対象となる土地を含む地域に生息する植物の中で、実や葉等を収穫できる植物を用いた改変案を提示する。
【０１４４】
例えば対象となる土地を含む地域にカシワの木が群生していたとする。カシワの木には、ドングリがなるため、ドングリ拾いをすることができる。また、カシワの木の葉は、柏餅の葉として活用することができる。そこで、本実施形態では、改変タイプに体験タイプが選択された場合には、例えば改変の対象となる土地を含む地域に生息する植物のうち、カシワの木のように実や葉を収穫できる植物を用いた改変案を提示する。
【０１４５】
このような改変案による土地の改変によれば、改変の対象となる土地を含む地域の住民や来訪者に対し、自然との触れ合いを提供することができる。
【０１４６】
図１６は、第一の実施形態の土地の改変に適した植物の情報が表示された画面の一例を示す図である。図１６に示す画面１６１では、図１５の選択画面１５１において、環境保全タイプが選択され、ボタン１５３が操作された際に表示される画面の例である。
【０１４７】
画面１６１では、表示欄１６２と、表示欄１６３とを有する。表示欄１６２は、土地の改変に用いる植物として推奨される植物の名称の一覧と、表示された植物に関連する情報とが表示されている。植物に関連する情報には、その植物の生息に適した気候や、その植物の生育に必要な事柄等が含まれても良い。
【０１４８】
表示欄１６３には、表示欄１６２に名称が表示された植物の画像が表示される。表示欄１６３に表示される画像は、植物図鑑データベース３３５から取得されても良い。
【０１４９】
図１６の例では、グループＩＤ「４」のＡ町が改変の対象とされ、改変タイプに環境保全タイプが選択された場合を示している。
【０１５０】
改変案テーブル３４２において、グループＩＤ「４」と対応する植物の種類は、街路樹と１年草である。また、Ａ町とその周辺地域に生息する街路樹の中で、絶滅危惧種ランクが高い木が、上位から順にシラカキ、スジダイ、タブノキであったとする。
【０１５１】
この場合、画面１６１には、推奨される植物として、シラカキ、スジダイ、タブノキが表示されることになる。
【０１５２】
以上のように、本実施形態によれば、改変の対象となる土地が選択されると、改変の対象となった土地の植生の変化の仕方に応じて、改変の仕方を示す改変案を提示する。さらに、本実施形態によれば、改変に用いる植物として、その土地がある地域に生息する植物から選択された植物の名称を提示する。
【０１５３】
したがって、本実施形態によれば、改変の対象となる土地を含む地域と周辺地域の動植物の生息状況に応じた土地の利用用途を提示することができ、該当する地域における生態系に及ぼす影響を低減できる。
【０１５４】
（第二の実施形態）
以下に図面を参照して第二の実施形態について説明する。以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１５５】
第二の実施形態では、動植物の選択を受け付けて、選択された動植物が数多く生息している土地を含む地域と、その土地の改変案を提示する。
【０１５６】
本実施形態の改変案提示システム１００は、このような改変案を提示することで、例えば改変案提示システム１００の利用者に対し、利用者が好む動物や植物が生息している土地を提示することができる。
【０１５７】
したがって、本実施形態では、例えば住宅の購入を検討している人や、引越し先をどの地域にするか検討している人等に対し、その人が好む自然環境にある地域を提示することができる。
【０１５８】
さらに、本実施形態では、提示した地域の土地を、どのように改変したら、その地域の自然環境を保全できるかを提示することができる。したがって、例えばトンボが生息している地域での住宅の購入を希望している人に対し、住宅の庭をどのような土地にすれば、トンボが生息できる環境とすることができるか、等を提示することができる。
【０１５９】
図１７は、第二の実施形態の改変案提示装置の機能構成と土地改変データベースについて説明する図である。
【０１６０】
本実施形態の改変案提示装置３００Ａは。土地改変データベース３４０Ａと、改変案提示処理部３５０Ａを有する。
【０１６１】
土地改変データベース３４０Ａは、グループ分類テーブル３４１と、改変案テーブル３４２に加え、種別変化テーブル群３４４、種数変化テーブル群３４５を有する。種別変化テーブル群３４４、種数変化テーブル群３４５の詳細は後述する。
【０１６２】
本実施形態の改変案提示処理部３５０Ａは、第一の実施形態の改変案提示処理部３５０の有する各部に加え、グループ特定部３５８、生息地域抽出部３５９を有する。
【０１６３】
本実施形態のグループ特定部３５８は、種別変化テーブル群３４４又は種数変化テーブル群３４５を参照し、入力された動植物の減少が最も少ないグループを特定する。
【０１６４】
本実施形態の生息地域抽出部３５９は、自然環境地域データベース３１０と、生息分布データベース３２０とを参照し、入力された動植物が生息する地域のうち、グループ特定部３５８により特定されたグループに分類された地域を抽出する。
【０１６５】
以下に、図１８及び図１９を参照し、本実施形態の種別変化テーブル群３４４と種数変化テーブル群３４５について説明する。
【０１６６】
図１８は、種別変化テーブル群の一例を示す図である。図１８（Ａ）では、イノシシの種別変化テーブル３４４−１を示しており、図１８（Ｂ）は、鹿の種別変化テーブル３４４−２を示している。
【０１６７】
本実施形態の種別変化テーブル群３４４は、哺乳類の生息状況を示すものである。より具体的には、本実施形態の種別変化テーブル群３４４は、哺乳類の生息数の減少の度合いを示すものである。
【０１６８】
本実施形態の種別変化テーブル群３４４は、哺乳類について、種別毎に種別変化テーブル３４４を有しており、図１８（Ａ）、（Ｂ）は、その一例を示す。
【０１６９】
本実施形態の種別変化テーブル３４４は、情報の項目として、グループＩＤ、消滅確率、メッシュ数を有し、項目「消滅確率」と項目「メッシュ数」は、項目「グループＩＤ」と対応付けられている。
【０１７０】
項目「消滅確率」の値は、対応する種別の哺乳類が消滅している確率を示す。具体的には、本実施形態の項目「消滅確率」の値は、「１９８０年に対応する種別の哺乳類の個体が生息が確認され、且つ２０００年には該当する哺乳類の個体の生息が確認されなかったメッシュの数」／「１９８０年に該当する哺乳類の個体の生息が確認されたメッシュの数」とした。
【０１７１】
したがって、本実施形態では、項目「消滅確率」の値が大きいほど、対応する種別の哺乳類が生息が確認できない可能性が高い、すなわち該当する哺乳類の個体数が減少していることを示す。
【０１７２】
図１８（Ａ）に示すイノシシの種別変化テーブル３４４−１では、グループ３に分類された土地が最もイノシシの生息数が減少している土地（メッシュ）であり、グループ０に分類される土地が最もイノシシの生息数が減少していない土地であると言える。したがって、グループ０に分類された土地では、他のグループに分類された土地よりもイノシシに遭遇する可能性が高いことがわかる。
【０１７３】
また、図１８（Ｂ）に示す鹿の種別変化テーブル３４４−２では、グループ２に分類された土地が最も鹿の生息数が減少している土地であり、グループ１に分類される土地が最も鹿の生息数が減少していない土地であると言える。したがって、グループ１に分類された土地では、他のグループに分類された土地よりも鹿に遭遇する可能性が高いことがわかる。
【０１７４】
項目「メッシュ数」の値は、対応するグループＩＤの特徴を持つメッシュの数である。
【０１７５】
図１９は、種数変化テーブル群の一例を示す図である。本実施形態の種数変化テーブル群３４５は、鳥類と昆虫類の生息状況を示すものである。より具体的には、種数変化テーブル群３４５は、鳥類と昆虫類の生息数の減少の度合いを示すものである。
【０１７６】
図１９（Ａ）では、トンボの種数変化テーブル３４５−１を示しており、図１９（Ｂ）は、チョウの種数変化テーブル３４５−２を示している。本実施形態の種数変化テーブル群３４５は、昆虫と鳥類について、種数変化テーブル３４５を有しており、図１９（Ａ）、（Ｂ）は、その一例を示す。
【０１７７】
種数変化テーブル３４５は、情報の項目として、グループＩＤ、種数変化平均、標準偏差を有する。項目「種数変化平均」と項目「標準偏差」とは、項目「グループＩＤ」と対応付けられている。
【０１７８】
項目「種数変化平均」の値は、対応するグループＩＤが付与されたメッシュにおける種の数の変化の平均を示している。具体的には、例えば、トンボには、オニヤンマ、赤トンボ等、複数の種が存在する。図１９（Ａ）に示す種数変化テーブル３４５−１は、トンボに分類される種の数の変化を示している。
【０１７９】
同様に、例えば、チョウには、アゲハチョウ、モンシロチョウ等、複数の種が存在する。図１９（Ｂ）に示す種数変化テーブル３４５−２は、チョウに分類される種の数の変化を示している。
【０１８０】
したがって、項目「種数変化平均」の値が負の値である場合、種数が減少していることを示す。本実施形態の種数変化テーブル３４５は、昆虫類と鳥類のそれぞれについて、設けられている。
【０１８１】
図１９（Ａ）に示すトンボの種数変化テーブル３４５−１では、グループ３に分類された土地が最もトンボの種数が減少している土地であり、グループ２に分類される土地が最もトンボの種数が減少していない土地であると言える。したがって、グループ２に分類された土地では、他のグループに分類された土地よりもトンボに遭遇する可能性が高いことがわかる。
【０１８２】
また、図１９（Ｂ）に示すチョウの種数変化テーブル３４５−２では、グループ２に分類された土地が最もチョウの種数が減少している土地であり、グループ５に分類される土地が最もチョウの種数が減少していない土地であると言える。したがって、グループ５に分類された土地では、他のグループに分類された土地よりもチョウに遭遇する可能性が高いことがわかる。
【０１８３】
項目「標準偏差」の値は、対応するグループＩＤが付与されたメッシュにおける種の数の変化の標準偏差を示している。
【０１８４】
次に、本実施形態の改変案提示装置３００Ａの動作について説明する。図２０は、第二の実施形態の改変案提示装置の動作を説明するフローチャートである。
【０１８５】
本実施形態の改変案提示装置３００Ａの改変案提示処理部３５０Ａは、入力受付部３５１により、動植物の入力を受け付けたか否かを判定する（ステップＳ２００１）。具体的には、入力受付部３５１は、端末装置２００に表示された動植物の入力画面において、動植物を特定する情報の入力がなされたか否かを判定している。動植物を特定する情報とは、例えば動植物の名称等である。
【０１８６】
ステップＳ２００１において、動植物の入力を受け付けていない場合、改変案提示処理部３５０は、入力を受け付けるまで待機する。
【０１８７】
ステップＳ２００１において、動植物の入力を受け付けると、改変案提示処理部３５０Ａは、グループ特定部３５８により、種別変化テーブル群３４４又は種数変化テーブル群３４５の何れかを参照し、入力された動植物の減少が最も小さいグループを特定する（ステップＳ２００２）。
【０１８８】
続いて、改変案提示処理部３５０Ａは、生息地域抽出部３５９により、入力された動植物が生息し、且つ特定されたグループに分類された地域から、入力された動植物の生息数が多い順に所定個数の地域を抽出し、表示制御部３５７により地域のリストを出力する（ステップＳ２００３）。
【０１８９】
以下に、ステップＳ２００３の処理について説明する。
【０１９０】
本実施形態の生息地域抽出部３５９は、生息分布データベース３２０を参照し、入力された動植物の生息する地域を抽出する。次に、生息地域抽出部３５９は、自然環境地域データベース３１０を参照し、抽出された地域をグループに分類する。地域をグループに分類する処理は、メッシュ毎グループ特定部３５２と、地域グループ分類部３５３とにより行われる。地域をグループに分類する処理は、第一の実施形態で説明した通りである（図１３のステップＳ１１０２、１１０３を参照）。
【０１９１】
次に、生息地域抽出部３５９は、グループに分類された地域から、ステップＳ２００２でグループ特定部３５８が特定したグループに分類された地域を抽出し、抽出された地域のうち、入力された動植物の生息数が多い地域から順に、所定数の地域を抽出する。抽出された地域は、表示制御部３５７により、地域のリストとして端末装置２００へ送信され、端末装置２００に表示される。
【０１９２】
本実施形態の生息地域抽出部３５９は、以上の処理により、入力された動植物の生息数の減少が最も少なく、且つ現在の生息数が多い地域のリストを抽出する。
【０１９３】
次に、改変案提示処理部３５０Ａは、入力受付部３５１により地域の選択を受け付けたか否かを判定する（ステップ２００４）。具体的には、入力受付部３５１は、端末装置２００に表示された地域のリストにおいて、地域が選択されたか否かを判定している。
【０１９４】
ステップＳ２００４において、選択を受け付けない場合、改変案提示処理部３５０Ａは、選択を受け付けるまで待機する。尚、改変案提示処理部３５０Ａは、所定時間以内に選択を受け付けなかった場合には、処理を終了しても良い。
【０１９５】
ステップＳ２００４において、選択を受け付けると、改変案提示処理部３５０Ａは、変化特徴出力部３５５と、改変案出力部３５６により、グループ特定部３５８により特定されたグループと対応する植生の変化の特徴と、土地の改変案とを出力し、表示制御部３５７により端末装置２００に表示させる（ステップＳ２００５）。
【０１９６】
続いて改変案提示処理部３５０Ａは、入力受付部３５１により、具体的な土地の改変案の表示支持を受け付けたか否かを判定する（ステップＳ２００６）。ステップＳ２００６において、表示指示を受け付けない場合、改変案提示処理部３５０Ａは、処理を終了する。尚、表示指示を受け付けない場合とは、例えば端末装置２００において、改変案の提示処理の終了指示を受け付けた場合等である。
【０１９７】
ステップＳ２００６において、表示指示を受け付けた場合、改変案提示処理部３５０Ａは、動植物抽出部３５４により、生息分布データベース３２０を参照し、選択された地域に生息する植物の名称を抽出する（ステップＳ２００７）。
【０１９８】
続いて、改変案出力部３５６は、抽出された植物のうち、選択された地域に最も多く生息する植物を選択し、植物図鑑データベース３３５を参照して選択した植物に関する情報を取得する。そして、改変案出力部３５６は、選択された植物を用いた土地の改変案を出力し、表示制御部３５７により、出力された改変案を表示させる画面データを生成して端末装置２００に送信し、端末装置２００に改変案を表示させ（ステップＳ２００８）、処理を終了する。
【０１９９】
以下に、図２１乃至図２４を参照し、改変案提示処理部３５０Ａの処理をさらに説明する。
【０２００】
図２１は、第二の実施形態の入力画面の一例を示す図である。図２１の入力画面２１１は、端末装置２００に表示された動植物の入力画面の例を示している。
【０２０１】
入力画面２１１には、表示欄２１２、入力欄２１３、ボタン２１４が表示されている。表示欄２１２には、改変案提示システム１００の利用者に、動植物の入力を促すメッセージが表示される。入力欄２１３は、動植物を入力するためのものである。
【０２０２】
ボタン２１４は、入力欄２１３に入力された動植物の生息する地域を抽出する処理を開始させるためのボタンである。
【０２０３】
本実施形態の改変案提示処理部３５０Ａは、入力画面２１１において、入力欄２１３
の動植物が入力され、ボタン２１４が操作されると、図２０のステップＳ２００２以降の処理を実行する。
【０２０４】
ここで、例えば入力欄２１３に、「トンボ」が入力されたとする。この場合、グループ特定部３５８は、種数変化テーブル群３４５のトンボの種数変化テーブル３４５−１を参照し、トンボの種数の減少が最も少ないグループをグループＩＤ「２」のグループと特定する。
【０２０５】
図２２は、地域の選択画面の一例を示す図である。図２２に示す画面２２１は、生息地域抽出部３５９により抽出された地域のリストが表示された例を示している。
【０２０６】
本実施形態では、図２１に示す入力画面２１１において、ボタン２１４が操作された後に、入力画面２１１から遷移して画面２２１が表示される。
【０２０７】
図２２では、生息地域抽出部３５９により、トンボの減少が最も少なく、且つトンボの生息数が多い地域のリストとして、３つの地域を含むリスト２２２が表示されており、リスト２２２において、□□県Ａ町が選択された例を示している。
【０２０８】
図２３は、第二の実施形態の対象地域の変化の特徴と改変案を表示した画面の一例を示す図である。
【０２０９】
画面２３１には、表示欄２３２と、表示欄２３３と、ボタン２３４、２３５が表示されている。
【０２１０】
表示欄２３２には、トンボの種数の減少が最も少ないグループと対応する植生の変化の特徴が表示される。トンボの種数の減少が最も少ないグループは、グループＩＤ「２」のグループである。したがって、変化特徴出力部３５５は、改変案テーブル３４２を参照し、グループＩＤ「２」と対応する植生の変化の特徴を表示制御部３５７に出力する。
【０２１１】
表示欄２３３には、トンボの種数の減少が最も少ないグループ、すなわち、グループＩＤ「２」と対応する改変案が表示される。改変案出力部３５６は、改変案テーブル３４２を参照し、グループＩＤ「２」と対応する改変案を表示制御部３５７に出力する。
【０２１２】
表示制御部３５７は、出力された植生の変化の特徴と、改変案とを、表示欄３２２と表示欄２３３にそれぞれ表示させる画面データを生成し、画面２３１を端末装置２００に表示させる。
【０２１３】
尚、ボタン２３４は、改変案の具体例の表示指示を行うためのボタンであり、ボタン２３５は、改変案の提示処理の終了指示を行うためのボタンである。
【０２１４】
画面２３１においてボタン２３４が操作されると、改変案出力部３５６は、具体的に改変案の表示指示がなされたものとし、図２０のステップＳ２００７以降の処理を実行する。
【０２１５】
図２４は、第二の実施形態の地域に生息する植物の一覧と、土地の改変に適した植物の情報が表示された画面の一例を示す図である。
【０２１６】
本実施形態の端末装置２００では、図２３に示す画面２３１においてボタン２３４が操作されると、画面２３１から図２４に示す画面２４１に遷移する。
【０２１７】
図２４に示す画面２４１は、表示欄２４２と表示欄２４３とを有する。表示欄２４２には、図２２の画面２２１の地域のリスト２２２において選択された地域に生息する植物のリストと、土地の改変方法が表示されている。また、表示欄２４３には、表示欄２４２に表示された植物のうち、選択された地域の改変に用いられることが好ましい植物と、その植物に関する情報が表示される。
【０２１８】
表示欄２４２には、画面２３１の表示欄２３３に表示された改変案をより具体的にした改変案が表示される。
【０２１９】
図２４の例では、画面２３１の表示欄２３３に表示された改変案２である、緑地化を具体的に示した改変案が表示されている。
【０２２０】
尚、本実施形態では、表示欄２４３に表示された、選択された地域の改変に用いられることが好ましい植物は、選択された地域において最も多く生息している植物とした。
【０２２１】
また、本実施形態では、改変に用いられることが好ましい植物は、例えば選択された地域とその周辺地域に生息する植物のうち、絶滅危惧種ランクが最も高い植物を選択しても良いし、その他の基準により選択されても良い。
【０２２２】
改変に用いられることが好ましい植物は、改変の対象とされた地域に生息する植物であれば良い。選択された地域に生息している植物は、その地域に馴染みやすく、またその地域の生態系に与える影響も少ないため、土地の改変に用いることが好ましいからである。
【０２２３】
以上のように、本実施形態では、植生の変化の特徴と、土地の改変案とを対応付けた改変案テーブル３４２に加え、植生の変化の特徴と、特定の動植物の生息数の変化とを対応付けた種別変化テーブル群３４４及び種数変化テーブル群３４５を有する。
【０２２４】
したがって、本実施形態によれば、特定の動植物の減少が最も少なくなる植生の変化の特徴を捉えることができる。このため、本実施形態によれば、特定の動植物の減少の抑制に適した土地の改変案を提示することができる。さらに、本実施形態では、改変の対象となる土地を含む地域に生息する植物を用いた土地の改変案を提示するため、改変の対象となる土地の生態系に及ぼす影響を抑制した改変案を提示することができる。
【０２２５】
（第三の実施形態）
以下に図面を参照して第三の実施形態について説明する。第三の実施形態では、改変案提示処理部３５０を端末装置に設けた点が第一の実施形態と相違する。したがって、第三の実施形態の説明では、第一の実施形態との相違点についてのみ説明し、第一の実施形態と同様の機能構成を有するものには第一の実施形態の説明で用いた符号を付与し、その説明を省略する。
【０２２６】
図２５は、第三の実施形態の改変案提示システムのシステム構成の一例を示す図である。本実施形態の改変案提示システム１００Ａは、端末装置２００Ａとサーバ３００Ｂとを有する。
【０２２７】
本実施形態の改変案提示システム１００Ａにおいて、端末装置２００Ａは、改変案提示処理部３５０を有する。サーバ３００Ｂは、自然環境地域データベース３１０、生息分布データベース３２０、コリドー予測データベース３３０、植物図鑑データベース３３５、土地改変データベース３４０を有する。
【０２２８】
本実施形態では、端末装置２００Ａの改変案提示処理部３５０が、サーバ３００Ｂの有する各データベースを参照して改変案の提示処理を実行するものであり、第一の実施形態と同様の効果を得ることができる。
【０２２９】
また、本実施形態によれば、端末装置２００Ａ側で改変案の提示処理が実行されるため、サーバ３００Ｂの負荷を軽減することができる。
【０２３０】
開示の技術では、以下に記載する付記のような形態が考えられる。
（付記１）
地域を特定する情報の入力を受け付けて、
土地の植生の変化の特徴を示す変化特徴情報と、前記土地の改変案を示す改変案情報と、を対応付けた第一の情報を参照し、
前記地域に含まれる土地の植生の変化の特徴を示す変化特徴情報と対応する前記改変案情報を出力する、処理をコンピュータに実行させる改変案提示プログラム。
（付記２）
動植物を特定する情報の入力を受け付けて、
土地の植生の変化の特徴を示す変化特徴情報と、動植物毎の生息状況を示す情報と、を対応付けた第二の情報を参照し、
入力された情報により特定された動植物の減少が最も少なくなる変化特徴情報を特定し、
前記第一の情報を参照して、特定した前記変化特徴情報と対応付けられた改変案情報を出力する、処理を前記コンピュータに実行させる付記１記載の改変案提示プログラム。
（付記３）
動植物の生息分布を示す生息分布情報を参照し、前記特定された動植物が生息する地域を抽出し、
抽出された地域のうち、前記地域に含まれる土地の変化特徴情報が、前記特定された動植物の減少が最も少なくなる変化特徴情報と一致する地域を特定し、
前記特定された動植物の減少が最も少なくなる変化特徴情報と対応付けられた改変案情報を出力する、処理を前記コンピュータに実行させる付記２記載の改変案提示プログラム。
（付記４）
前記第一の情報は、
土地の植生の変化の特徴を示す変化特徴情報と、変化の特徴の分類を示す値とを対応付けた分類テーブルと、
前記分類を示す値と、土地の改変案を示す改変案情報とが対応付けられた改変案テーブルをと、を含み、
前記第二の情報は、
前記分類を示す値と、動植物毎の生息状況を示す情報とを対応付けたテーブル群を含む付記２又は３記載の改変案提示プログラム。
（付記５）
前記動植物毎の生息状況を示す情報は、各動植物の生息数の減少の度合いを示す情報である付記４記載の改変案提示プログラム。
（付記６）
前記改変案情報は、改変を行う際に推奨する植物の情報を含み、
前記推奨する植物は、前記地域に生息する植物又は前記地域に飛来する可能性のある植物の何れかである付記１乃至３の何れか一項に記載の改変案提示プログラム。
（付記７）
前記推奨する植物は、
前記地域に生息する植物のうち、最も希少度合いの高い植物である付記６記載の改変案提示プログラム。
（付記８）
前記推奨する植物は、
前記地域毎に決められた植物である付記６記載の改変案提示プログラム。
（付記９）
前記推奨する植物は、
前記地域に生息する植物のうち、実及び葉の少なくとも一方が収穫される植物である付記６記載の改変案提示プログラム。
（付記１０）
前記改変案情報を出力する処理は、
改変のタイプの選択を受け付けて、選択されたタイプに応じて、前記推奨する植物を選択する付記１記載の改変案提示プログラム。
（付記１１）
地域を特定する情報の入力を受け付ける入力受付部と、
土地の植生の変化の特徴を示す変化特徴情報と、前記土地の改変案を示す改変案情報と、を対応付けた第一の情報を参照し、
前記地域に含まれる土地の植生の変化の特徴を示す変化特徴情報と対応する前記改変案情報を出力する改変案出力部と、を有する改変案提示装置。
（付記１２）
コンピュータが実行する改変案提示方法であって、該コンピュータが、
地域を特定する情報の入力を受け付けて、
土地の植生の変化の特徴を示す変化特徴情報と、前記土地の改変案を示す改変案情報と、を対応付けた第一の情報を参照し、
前記地域に含まれる土地の植生の変化の特徴を示す変化特徴情報と対応する前記改変案情報を出力する、改変案提示方法。
【０２３１】
本発明は、具体的に開示された実施形態に限定されるものではなく、特許請求の範囲から逸脱することなく、種々の変形や変更が可能である。
【符号の説明】
【０２３２】
１００  改変案提示システム
２００  端末装置
３００、３００Ａ  改変案提示装置
３１０  自然環境地域データベース
３２０  生息分布データベース
３３０  コリドー予測データベース
３３５  植物図鑑データベース
３４０  土地改変データベース
３４１  グループ分類テーブル
３４２  改変案テーブル
３４３  改変タイプテーブル
３４４  種別変化テーブル群
３４５  種数変化テーブル群
３５０、３５０Ａ  改変案提示処理部
３５２  メッシュ毎グループ特定部
３５３  地域グループ特定部
３５４  動植物抽出部
３５５  変化特徴出力部
３５６  改変案出力部
３５７  表示制御部
３５８  グループ特定部
３５９  生息地域特定部
【図１】
0006668683.tif 000002
【図２】
0006668683.tif 000003
【図３】
0006668683.tif 000004
【図４】
0006668683.tif 000005
【図５】
0006668683.tif 000006
【図６】
0006668683.tif 000007
【図７】
0006668683.tif 000008
【図８】
0006668683.tif 000009
【図９】
0006668683.tif 000010
【図１０】
0006668683.tif 000011
【図１１】
0006668683.tif 000012
【図１２】
0006668683.tif 000013
【図１３】
0006668683.tif 000014
【図１４】
0006668683.tif 000015
【図１５】
0006668683.tif 000016
【図１６】
0006668683.tif 000017
【図１７】
0006668683.tif 000018
【図１８】
0006668683.tif 000019
【図１９】
0006668683.tif 000020
【図２０】
0006668683.tif 000021
【図２１】
0006668683.tif 000022
【図２２】
0006668683.tif 000023
【図２３】
0006668683.tif 000024
【図２４】
0006668683.tif 000025
【図２５】
0006668683.tif 000026